(57)【特許請求の範囲】
【請求項１】
吸引開始温度から１℃降下するごとに吸引時間を測定して、吸引時間が３０秒以上となる温度を測定することによりＡ重油の低温流動性を評価する修正ＣＦＰＰ法において、以下の工程を有することを特徴とするＡ重油の低温流動性評価方法。
（１）吸引時間が１０秒以上となるまでは、所定本数の測定用試料を繰り返し使用して吸引時間を測定する工程
（２）前記（１）の工程における測定で、吸引時間が１０秒以上となったときは、その時の測定温度で未使用の測定用試料を使用して吸引時間を測定する工程
（３）前記（２）の工程における測定で、吸引時間が３０秒未満であった場合には、前記（１）の工程で使用した所定本数の測定用試料を用いて、吸引時間が１２秒以上となるまで所定本数の測定用試料を繰り返し使用して吸引時間を測定する工程
（４）前記（３）の工程における測定で、吸引時間が１２秒以上となったときは、その時の測定温度で未使用の測定用試料を使用して吸引時間を測定する工程
（５）前記（４）の工程における測定で、吸引時間が３０秒未満であった場合には、前記（１）の工程で使用した所定本数の測定用試料を用いて、吸引時間が３０秒以上となるまで所定本数の測定用試料を繰り返し使用して吸引時間を測定する工程
（６）前記（５）の工程における測定で、吸引時間が３０秒以上となったときは、その時の測定温度で未使用の測定用試料を使用して吸引時間を測定する工程
（７）前記（６）の工程における測定で、吸引時間が３０秒未満であった場合には、前記（６）の工程の測定温度より１℃低い温度で未使用の測定用試料を使用して吸引時間を測定する工程
（８）前記（７）の工程における測定で、吸引時間が３０秒未満であった場合には、吸引時間が３０秒以上となるまで前記（７）の工程の操作を繰り返し行う工程
【請求項２】
前記吸引開始温度が曇点であることを特徴とする請求項１に記載の方法。
【請求項３】
前記所定本数が２本であることを特徴とする請求項１に記載の方法。
【発明の詳細な説明】
【０００１】
【発明の属する技術分野】
本発明は、Ａ重油の低温流動性を評価する方法に関する。特に、修正ＣＦＰＰ法を改良したＡ重油の低温流動性を評価する方法に関する。
【０００２】
【従来の技術】
Ａ重油はＪＩＳ  Ｋ２２０５の１種１号又は２号の規定に適合するディーゼルエンジン等の内燃機関、ボイラーや各種炉等の燃焼機器用の燃料として適当な品質を有する鉱質油である。Ａ重油は冬期あるいは寒冷地において低温にさらされるとその中に含まれるパラフィンワックスや残留炭素付与剤として少量添加されている蒸留残査および/または潤滑油精製工程で得られるエキストラクト油等に含まれる成分が析出し、燃焼機器の燃料配管系内で固化したり、また、燃料配管系にあるフィルターを閉塞させて燃料供給を不可能としたりして、ディーゼルエンジンや燃焼装置が始動できなくなったり、エンジンが停止したり等の低温度下での流動性悪化による重大な問題を生じることがある。
【０００３】
これら問題を防ぐ為には、低温下での流動性を評価することが重要となる。Ａ重油の低温流動性評価方法としては「Ａ重油の低温流動性試験方法基準（JPI−5S−47−96）」（以下、実機シュミレート法という。）がある。この方法はＡ重油を低温恒温槽で規定の冷却速度で冷却後、実機シミュレート装置に通油し、任意の温度下におけるＡ重油の通油性を評価するものである。しかしながら、この実機シミュレート法は試験に長時間を要し、大量の測定用試料が必要なこと、装置が大型となること等の問題があり、簡易試験法が求められていた。
【０００４】
このため、既存の軽油目詰まり点試験法をＡ重油測定用に修正した方法が開発されている。この方法は、ＪＩＳ  Ｋ２２８８「軽油−目詰まり点試験方法」をＡ重油用に修正し転用したもので、石油学会規格「Ａ重油の低温流動性試験方法基準（JPI−5S−47−96）」の解説表１に修正法４（以下、修正ＣＦＰＰ法という。）として記載されている。
【０００５】
この修正ＣＦＰＰ法においては、まず４５ｍｌのＡ重油の試料を試験管にとり、恒温槽に浸漬する。恒温槽を吸引開始温度に設定し、恒温槽の温度が１℃下がるごとに２ｋＰａの減圧下で、目開き１４９μｍの金網付きろ過器を通して試料を吸引し、試料２０ｍｌが金網付きろ過器を通過するに要する時間（すなわち吸引時間）を測定する。このようにして恒温槽を１℃低下させるごとに試料のろ過器通過時間を測定して、吸引時間が３０秒を超えたときの温度又はろ過器を通過しなくなったときの温度を修正ＣＦＰＰ値（ＣＦＰＰ：Cold Filter Plugging Point）として、Ａ重油の流動性評価を行うものである。修正ＣＦＰＰ法においては、装置の自動化が図られ、また得られる修正ＣＦＰＰ値は実機シュミレート法による試験結果と良い相関があることが確認されている。
【０００６】
しかしながら、修正ＣＦＰＰ法においては、実機シュミレート法に比べて、装置の規模、試料の必要量等においてはるかに改善されているものの、試料は一回のみの吸引で評価されること、及び修正ＣＦＰＰ値が予測できないことから吸引開始温度の設定が適切に出来ず、吸引開始温度の不適切な設定により就業時間内に修正ＣＦＰＰ値の結果が得られなかったり、最悪の場合は一度の試験では結果が得られない等の問題点をかかえている。装置を自動化することにより試験時間が長時間になっても対応することは可能であるが、結果を確実に得るためにはセットする測定用試料の本数を多くする必要が生じるため、装置が大型化する他、コスト高となる等の問題がある。
【０００７】
【発明が解決しようとする課題】
これらの問題を解決するために、本発明者らは測定用試料の本数を低減し、装置の大型化も必要のないＡ重油の低温流動性を評価する簡易な方法について検討を行った。その結果、本発明者らは、前記した修正ＣＦＰＰ法により、Ａ重油サンプルを１℃降下ごとに吸引時間を測定していくと、ある温度付近で吸引時間が急激に増加することを見いだした。
さらに検討を進めるうちに、吸引時間が立ち上がるある時間を越えると、１℃乃至２℃程度の降下温度のうちに吸引時間が３０秒以上（本発明において吸引時間が３０秒以上とは、吸引不能の場合を含む。）となることを見いだした。
本発明者らは、さらに任意の他のＡ重油サンプルについても検討を行ったところ、他の大部分のサンプルでも同様にある所定時間を越えたところで吸引時間が急激に増加することが確認された。
【０００８】
以下、図１によりこの現象について説明する。
図１に示すように、測定用試料として２種類のＡ重油（燃料Ａおよび燃料Ｂ）を用い、測定開始温度である吸引開始温度としては試料の曇点から測定を開始した。まず燃料Ａおよび燃料Ｂの吸引開始温度における吸引時間を測定し、その値をそれぞれプロットした。次に、新たな測定用試料を用いて、１℃降下した温度における吸引時間を測定し、その値をプロットした。以下同様に新たな測定用試料を用いて、１℃降下した温度における吸引時間を測定し、その値をプロットしていくと、ある温度で吸引時間が急激に増加し、その後１℃乃至２℃の降下温度までに吸引時間が３０秒以上となることが見いだされた。
このことは、Ａ重油の残炭調整剤の種類や低温流動性の有無、添加濃度に係らず、同様の結果を示すものであった。
【０００９】
しかしながら、一部の種類のＡ重油に関しては、所定時間に到達しても吸引時間の急激な立ち上がりを示さないものもあった。このようなＡ重油は図２に示すパターンＢような測定温度と吸引時間のプロットを与えるものであった。この例外的なＡ重油の測定では、上記のような所定時間を越えても徐々にしか吸引時間の増加がみられなかった。
【００１０】
さらに、検討を重ねたところ、図１のような吸引時間の立ち上がりを示すＡ重油についてはかかる吸引時間が１０秒までは測定用試料を一回測定する度に新たな試料を用いなくとも、２本あるいは数本の所定本数の試料を繰り返し使用し、吸引時間が１０秒以上になった場合には、その測定温度から未使用の試料を用いて測定することによっても修正ＣＦＰＰ値が求めることができることを見いだした。
【００１１】
これらの事実に基づいて、本発明者らＡ重油の低温流動性を評価する簡易な方法を発明し、先に特許出願を行った（特願２０００−３６３２４７号）。
しかしながら、この方法では一部の種類のＡ重油に関しては適用できないという問題点があった。
【００１２】
【課題を解決するための手段】
従って、本発明は、測定用試料の本数を低減し、装置の大型化も必要のないＡ重油の低温流動性を評価する簡易な方法であって、またどのような種類のＡ重油にも適用できるＡ重油の低温流動性の評価方法を提供するものである。
【００１３】
すなわち、本発明の第１は、吸引開始温度から１℃降下するごとに吸引時間を測定して、吸引時間が３０秒以上となる温度を測定することによりＡ重油の低温流動性を評価する修正ＣＦＰＰ法において、以下の工程を有することを特徴とするＡ重油の低温流動性評価方法である。
（１）吸引時間が１０秒以上となるまでは、所定本数の測定用試料を繰り返し使用して吸引時間を測定する工程
（２）前記（１）の工程における測定で、吸引時間が１０秒以上となったときは、その時の測定温度で未使用の測定用試料を使用して吸引時間を測定する工程
（３）前記（２）の工程における測定で、吸引時間が３０秒未満であった場合には、前記（１）の工程で使用した所定本数の測定用試料を用いて、吸引時間が１２秒以上となるまで所定本数の測定用試料を繰り返し使用して吸引時間を測定する工程
（４）前記（３）の工程における測定で、吸引時間が１２秒以上となったときは、その時の測定温度で未使用の測定用試料を使用して吸引時間を測定する工程
（５）前記（４）の工程における測定で、吸引時間が３０秒未満であった場合には、前記（１）の工程で使用した所定本数の測定用試料を用いて、吸引時間が３０秒以上となるまで所定本数の測定用試料を繰り返し使用して吸引時間を測定する工程
（６）前記（５）の工程における測定で、吸引時間が３０秒以上となったときは、その時の測定温度で未使用の測定用試料を使用して吸引時間を測定する工程
（７）前記（６）の工程における測定で、吸引時間が３０秒未満であった場合には、前記（６）の工程の測定温度より１℃低い温度で未使用の測定用試料を使用して吸引時間を測定する工程
（８）前記（７）の工程における測定で、吸引時間が３０秒未満であった場合には、吸引時間が３０秒以上となるまで前記（７）の工程の操作を繰り返し行う工程
【００１４】
本発明の第２は、前記吸引開始温度が曇点であることを特徴とする第１の発明の方法に関する。
本発明の第３は、前記所定本数が２本であることを特徴とする第１の発明の方法に関する。
【００１５】
【発明の実施の形態】
以下本発明について詳述する。
本発明は、吸引開始温度から１℃降下するごとに吸引時間を測定して、吸引時間が３０秒以上となる温度を測定することによりＡ重油の低温流動性を評価する修正ＣＦＰＰ法において、前記の（１）〜（８）の工程に従い吸引時間を測定してＡ重油の低温流動性を評価するものである。
【００１６】
本発明において、吸引開始温度は、特に限定されないが、低温での目詰まり原因となるパラフィンワックスが析出すると同時に目詰まりが発生する場合もあることから測定用試料の曇点であることが好ましい。
【００１７】
本発明は、まず吸引開始温度において測定用試料の吸引時間を測定する。このときの吸引時間が１０秒未満の場合は、次に測定温度を１℃降下させ、その温度における吸引時間を、別の測定用試料を用いて測定する。このときの吸引時間がまた１０秒未満である場合は、さらに測定温度を１℃降下させた温度における吸引時間を、最初に用いた測定用試料あるいは別の測定用試料を用いて測定する。
このようにして吸引時間が１０秒以上となるまでは、所定本数の測定用試料を用い、これを繰り返し使用して吸引時間を測定する（工程（１））。
工程（１）における吸引測定に繰り返し使用される測定用試料の所定本数としては、測定用試料の本数および試料の量を少なくし、吸引により壊されたワックス結晶の成長を促す等の点から所定本数は２本であることが好ましい。もちろん３本以上の本数を用いても構わない。
【００１８】
工程（２）においては、工程（１）における吸引時間が１０秒以上となったときは、その時の測定温度で未使用の測定用試料を使用して再度吸引時間を測定するものである。
この測定で吸引時間が３０秒以上になったときは、その温度が修正ＣＦＰＰ値となる。この測定で吸引時間が３０秒未満であったときは、（３）の工程を行う。
【００１９】
工程（３）においては、工程（２）における吸引時間が３０秒未満となった場合には、（１）の工程で使用した所定本数の測定用試料を再び用いて、吸引時間が１２秒以上となるまで当該所定本数の測定用試料を繰り返し使用して吸引時間を測定する。このとき、工程（１）で使用した測定用試料を再度使用するにあたり、測定用試料の本数が２本以上であれば、工程（１）で使用した本数と同じ本数でも良いし、それより少ない本数でも良い。
【００２０】
工程（４）においては、工程（３）における吸引時間が１２秒以上となったときは、その時の測定温度で未使用の測定用試料を使用して再度吸引時間を測定するものである。
この測定で吸引時間が３０秒以上になったときは、その温度がＣＦＰＰ値となる。この測定で吸引時間が３０秒未満であったときは、（５）の工程を行う。
【００２１】
工程（５）においては、工程（４）における吸引時間が３０秒未満であった場合には、（１）の工程で使用した所定本数の測定用試料を再び用いて、吸引時間が３０秒以上となるまで当該所定本数の測定用試料を繰り返し使用して吸引時間を測定する。
この場合も、工程（３）で記載したのと同様に、工程（１）で使用した測定用試料を再度使用するにあたり、測定用試料の本数が２本以上であれば、工程（１）で使用した本数と同じ本数でも良いし、それより少ない本数でも良い。
【００２２】
工程（６）においては、工程（５）における吸引時間が３０秒以上となったときは、その時の測定温度で未使用の測定用試料を使用して再度吸引時間を測定するものである。
この測定で吸引時間が３０秒以上になったときは、その温度が修正ＣＦＰＰ値となる。この測定で吸引時間が３０秒未満であったときは、（７）の工程を行う。
【００２３】
工程（７）においては、（６）の工程における吸引時間が３０秒未満であった場合には、前記（６）の工程の測定温度より１℃低い温度で、未使用の測定用試料を使用して吸引時間を測定する。
この測定で吸引時間が３０秒以上になったときは、その温度が修正ＣＦＰＰ値となる。この測定で吸引時間が３０秒未満であったときは、（８）の工程を行う。
【００２４】
工程（８）においては、（７）の工程における吸引時間が３０秒未満であった場合には、さらに前記（７）の工程の測定温度より１℃低い温度で、未使用の測定用試料を使用して吸引時間を測定する。
この測定で吸引時間が３０秒以上になったときは、その温度が修正ＣＦＰＰ値となる。この測定で吸引時間が３０秒未満であったときは、さらに１℃低い温度で、未使用の測定用試料を使用して吸引時間が３０秒以上となるまで吸引時間を測定し、吸引時間が３０秒以上となるまで前記（７）の工程の操作を繰り返し行い、吸引時間が３０秒以上になった温度を修正ＣＦＰＰ値とする。
なお、本発明において吸引時間が１０秒以上、１２秒以上、３０秒以上という場合には、吸引不能となる場合を含む意味である
【００２５】
本発明の方法は、先に本発明者らが特許出願した方法によっては測定を簡易化できない図２のパターンＢような吸引時間の立ち上がりを示すＡ重油についても低温流動性を評価することが可能となる。
【００２６】
本発明の方法に従えば、例えば、２本の測定用試料を繰り返し使用して吸引時間が１０秒以上になった場合には、その測定温度で未使用の試料を測定し、この場合に吸引時間が３０秒未満の場合には、さらに前記の２本の試料を繰り返し使用し、吸引時間が１２秒以上になった場合には、その測定温度で未使用の試料を測定し、この場合にも吸引時間が３０秒未満の場合には、再び前記の２本の試料を繰り返し使用し、吸引時間が３０秒以上になった場合には、その測定温度で未使用の試料を測定することにより最終的に吸引時間が３０秒以上となる温度を求め、この温度を修正ＣＦＰＰ値とするもので、測定試料を通常４〜５本用意することにより修正ＣＦＰＰ値を得ることができる。もちろん、念のため測定試料を余分に準備しておいても良い。
このように、本発明の方法によれば、どんなＡ重油の試料にも対応することができ、また、きわめて少ない本数で低温流動性の評価を行うことが可能となり、従来の修正ＣＦＰＰ法を改良した、より簡易な測定方法といえる。
【００２７】
本発明の方法を用いて、装置を自動化することが可能である。
本発明の方法を自動化する場合のフローチャートを図３に示す。まず、吸引開始温度（例えば、曇点）で、試料管１の吸引を行う。吸引時間を測定し、吸引時間が１０秒以上に到達していなければ、１℃降下させた温度で試料管２の吸引を行い、吸引時間を測定する。ここで吸引時間が１０秒未満であった場合は、さらに１℃降下させた温度における吸引を試料管１に戻って行う。このようにして吸引時間が１０秒に達するまでは、試料管１および試料管２を交互に繰り返し使用して吸引を行う。
【００２８】
この操作を行って吸引時間が１０秒以上になったときは、この温度で未使用の試料を入れた未吸引の試料管３について吸引を行う。試料管３の吸引時間が３０秒以上であればこの温度を修正ＣＦＰＰ値とする。試料管３の吸引時間が３０秒未満の場合には、試料管１および試料管２に戻り、それらを交互に繰り返し使用して吸引時間を測定する。吸引時間が１２秒以上に到達したときは、この温度で未使用の試料を入れた未吸引の試料管４について吸引を行う。
【００２９】
試料管４の吸引時間が３０秒以上であればこの温度を修正ＣＦＰＰ値とする。試料管４の吸引時間が３０秒未満の場合には、再び試料管１および試料管２に戻り、それらを交互に繰り返し使用して吸引時間を測定する。吸引時間が３０秒以上に到達したときは、この温度で未使用の試料を入れた未吸引の試料管５について吸引を行う。
【００３０】
試料管５の吸引時間が３０秒以上であればこの温度を修正ＣＦＰＰ値とする。試料管５の吸引時間が３０秒未満の場合には、１℃降下させた温度で別の未使用の試料を入れた未吸引の試料管６について吸引を行う。
試料管６の吸引時間が３０秒以上であればこの温度を修正ＣＦＰＰ値とする。試料管６の吸引時間が３０秒未満の場合には、１℃降下させた温度で、また、別の未使用の試料を入れた未吸引の試料管７について吸引を行う。以下同様の操作を継続して吸引時間が３０秒以上になるまで測定する。しかしながら、実際は試料管７以降になるケースはほとんどない。
【００３１】
なお、前記吸引開始温度で試料管１の吸引時間がいきなり３０秒を越えることは通常はないが、もし吸引開始温度において吸引時間が３０秒以上となった場合は、吸引開始温度を例えば、１℃乃至数℃高い温度に再設定する。また試料管２の最初の測定において吸引時間が３０秒以上であればこの温度を修正ＣＦＰＰ値とする。
【００３２】
本発明は、前記したように一定量のＡ重油の試料を試験管にとり、恒温槽に浸漬し、恒温槽の温度が１℃下がるごとに、目開き１４９μｍの金網付きろ過器を通して試料を吸引し、一定量の試料が金網付きろ過器を通過するに要する時間を測定して、吸引時間が３０秒を超えたときの温度又はろ過器を通過しなくなったときの温度（目詰まり点）を修正ＣＦＰＰ値とするＡ重油の流動性評価方法についての改良方法であるが、本発明の原理は、例えば目開きが１４９μｍではないろ過器を用いてＡ重油の流動性評価を行う場合においても適用することができる。この一定の吸引時間はその評価条件に基づいて事前に確認し、設定することができる
【００３３】
【発明の効果】
本発明は、従来の修正ＣＦＰＰ法に比べ、測定用試料の数を著しく低減できるためコストが安く、また装置を大型化する必要もない簡易な測定方法である。
【００３４】
【実施例】
以下、実施例及び比較例により本発明の内容をさらに具体的に説明するが、本発明はこれらに何ら限定されるものではない。
【００３５】
（参考例１）
図２のパターンＢのプロットを与えるＡ重油である試料Ｄについて修正ＣＦＰＰ値を、本発明者らが先に開発したＡ重油の流動点評価方法（特願２０００−３６３２４７号）に従って求めた。なお、吸引開始温度は試料Ｄの曇点（−３℃）とした。その結果を表１に示した。
この試料Ｄは所定時間に到達しても吸引時間の急激な立ち上がりを示さないＡ重油であるため、本発明者らが先に開発したＡ重油の流動点評価方法（以下、前回開発法という。）に従って測定しても、修正ＣＦＰＰ値を求めるまでに８本測定用試料を必要とした。
【００３６】
（実施例１）
試料Ｄについて、本発明の方法に従って修正ＣＦＰＰ値の測定を行った。吸引開始温度は試料Ｄの曇点（−３℃）とした。その結果を表２に示した。
表２に示すように、２本の測定用試料（Ｄ１，Ｄ２）を交互に繰り返し使用していたところ、−９℃で吸引時間が１０秒となったので、未使用の試料（Ｄ３）を用いて同じ温度（−９℃）で吸引を行ったところ８秒であった。
そこで、先に使用した２本の試料（Ｄ１，Ｄ２）を使用して、吸引時間の測定を継続していったところ−１２℃で１２秒となったので、未使用の試料（Ｄ４）を用いて同じ温度（−１２℃）で吸引を行ったところ１２秒であった。
そこで、再び先に使用した２本の試料（Ｄ１，Ｄ２）を使用して、吸引時間の測定を継続していったところ−１４℃で３０秒以上となったので、未使用の試料（Ｄ５）を用いて同じ温度（−１４℃）で吸引を行ったところ３０秒以上であった。
従って、試料Ｄの修正ＣＦＰＰ値は−１４℃であり、測定用試料の使用本数の合計は５本であった。
【００３７】
（参考例２−１）
Ａ重油の試料Ｅについて、従来の修正ＣＦＰＰ法（以下、従来法という。）に従って修正ＣＦＰＰ値を求めた。その結果を表３に示した。試料Ｅの曇点（−２℃）から吸引を開始して、修正ＣＦＰＰ値を求めるまでに８本の測定用試料を必要とした。
【００３８】
（参考例２−２）
試料Ｅについて、前回開発法に従って修正ＣＦＰＰ値を求めた。その結果を表４に示した。参考例２−１と同様に試料Ｅの曇点から吸引を開始して、修正ＣＦＰＰ値を求めた。使用した測定用試料の本数は３本であった。
【００３９】
（実施例２）
試料Ｅについて、本発明の方法に従って修正ＣＦＰＰ値を求めた。その結果を表５に示した。参考例２−１および参考例２−２と同様に試料Ｅの曇点から吸引を開始して、修正ＣＦＰＰ値を求めた。使用した測定用試料の本数は３本であった。
【００４０】
（参考例３−１）
Ａ重油の試料Ｆについて、従来法に従って修正ＣＦＰＰ値を求めた。その結果を表６に示した。試料Ｆの曇点（２℃）から吸引を開始して、修正ＣＦＰＰ値を求めるまでに８本の測定用試料を必要とした。
【００４１】
（参考例３−２）
試料Ｆについて、前回開発法に従って修正ＣＦＰＰ値を求めた。その結果を表７に示した。参考例３−１と同様に試料Ｆの曇点から吸引を開始して、修正ＣＦＰＰ値を求めた。使用した測定用試料の本数は５本であった。
【００４２】
（実施例３）
試料Ｆについて、本発明の方法に従って修正ＣＦＰＰ値を求めた。その結果を表８に示した。参考例３−１および参考例３−２と同様に試料Ｆの曇点から吸引を開始して、修正ＣＦＰＰ値を求めた。使用した測定用試料の本数は４本であった。
【００４３】
（参考例４−１）
Ａ重油の試料Ｇについて、従来法に従って修正ＣＦＰＰ値を求めた。その結果を表９に示した。試料Ｇの曇点（０℃）から吸引を開始して、修正ＣＦＰＰ値を求めるまでに１０本の測定用試料を必要とした。
【００４４】
（参考例４−２）
試料Ｇについて、前回開発法に従って修正ＣＦＰＰ値を求めた。その結果を表１０に示した。参考例４−１と同様に試料Ｇの曇点から吸引を開始して、修正ＣＦＰＰ値を求めた。使用した測定用試料の本数は８本であった。
【００４５】
（実施例４）
試料Ｇについて、本発明の方法に従って修正ＣＦＰＰ値を求めた。その結果を表１１に示した。参考例４−１および参考例４−２と同様に試料Ｇの曇点から吸引を開始して、修正ＣＦＰＰ値を求めた。使用した測定用試料の本数は５本であった。
【００４６】
（参考例５−１）
Ａ重油の試料Ｈについて、従来法に従って修正ＣＦＰＰ値を求めた。その結果を表１２に示した。試料Ｈの曇点（３℃）から吸引を開始して、修正ＣＦＰＰ値を求めるまでに１２本の測定用試料を必要とした。
【００４７】
（参考例５−２）
試料Ｈについて、前回開発法に従って修正ＣＦＰＰ値を求めた。その結果を表１３に示した。参考例５−１と同様に試料Ｈの曇点から吸引を開始して、修正ＣＦＰＰ値を求めた。使用した測定用試料の本数は８本であった。
【００４８】
（実施例５）
試料Ｈについて、本発明の方法に従って修正ＣＦＰＰ値を求めた。その結果を表１４に示した。参考例５−１および参考例５−２と同様に試料Ｈの曇点から吸引を開始して、修正ＣＦＰＰ値を求めた。使用した測定用試料の本数は５本であった。
【００４９】
【表１】
0003933408.tif 000002
【００５０】
【表２】
0003933408.tif 000003
【００５１】
【表３】
0003933408.tif 000004
【００５２】
【表４】
0003933408.tif 000005
【００５３】
【表５】
0003933408.tif 000006
【００５４】
【表６】
0003933408.tif 000007
【００５５】
【表７】
0003933408.tif 000008
【００５６】
【表８】
0003933408.tif 000009
【００５７】
【表９】
0003933408.tif 000010
【００５８】
【表１０】
0003933408.tif 000011
【００５９】
【表１１】
0003933408.tif 000012
【００６０】
【表１２】
0003933408.tif 000013
【００６１】
【表１３】
0003933408.tif 000014
【００６２】
【表１４】
0003933408.tif 000015
【図面の簡単な説明】
【図１】２種類のＡ重油についての測定温度と吸引時間の関係を示す図である。
【図２】パターンの異なる２種類のＡ重油についての測定温度と吸引時間の関係を示す図である。
【図３】本発明の方法を自動化する場合のフローチャートの例である。
【図１】
0003933408.tif 000016
【図２】
0003933408.tif 000017
【図３】
0003933408.tif 000018